(57)【特許請求の範囲】
【請求項１】
ピット底面から浮かされた状態で配置された足場手段を備え、
前記足場手段は、支持部材と、左右に延びる長尺部材とを含み、
前記支持部材は、昇降路の側壁を介してピット底面から浮かされた状態で固定されており、
前記長尺部材は、踏み段を構成し、該長尺部材全体が昇降路の乗場側側壁から離隔した状態で、前記支持部材によって支持されており、
前記長尺部材と前記乗場側側壁との間には、乗場トーガードが平面的にみて収容される逃げスペースが形成されており、
前記支持部材は、左右一対のブラケットであり、
前記長尺部材は、パイプであり、
前記ブラケットのそれぞれには、上部に出し入れ開口を有し且つ下部に支持底部を有する切り欠き部が形成されており、
前記パイプは、前記出し入れ開口を経て前記切り欠き部に挿入・取出され、且つ、前記切り欠き部内をスライド可能であり、前記支持底部において静止支持されるように構成されている、
エレベータのピット出入り装置。
【請求項２】
ピット底面から浮かされた状態で配置された足場手段を備え、
前記足場手段は、支持部材と、左右に延びる長尺部材とを含み、
前記支持部材は、昇降路の側壁を介してピット底面から浮かされた状態で固定されており、
前記長尺部材は、踏み段を構成し、該長尺部材全体が昇降路の乗場側側壁から離隔した状態で、前記支持部材によって支持されており、
前記長尺部材と前記乗場側側壁との間には、乗場トーガードが平面的にみて収容される逃げスペースが形成されており、
前記支持部材は、左右一対のブラケットであり、
前記長尺部材は、複数本のパイプであり、
前記ブラケットのそれぞれには、上部に出し入れ開口を有し且つ下部に支持底部を有する切り欠き部が前記パイプの本数と少なくとも同数形成されており、
複数の前記切り欠き部は、対応する前記ブラケットにおいて乗場との遠近方向に間隔をあけて並んで配置されており、
複数の前記切り欠き部では、乗場に遠い位置にあるものほど前記支持底部が低い位置にあり、
前記パイプは、前記出し入れ開口を経て前記切り欠き部に挿入・取出され、且つ、前記切り欠き部内をスライド可能であり、前記支持底部において静止支持されるように構成されている、
エレベータのピット出入り装置。
【請求項３】
紐状手段を更に備え、
前記紐状手段は、昇降路内に垂れ下げられており、
前記紐状手段の上端は、前記乗場トーガードに接続されており、該紐状手段の下端は、前記長尺部材に接続されており、
前記紐状手段は、前記長尺部材がピット底面に寝かされている状態と前記支持部材によりピット底面から浮かされて支持されている状態という少なくとも二状態に関して、該長尺部材との接続が維持できるように形状変化可能である、
請求項１または２のエレベータのピット出入り装置。
【請求項４】
前記逃げスペースは、前記乗場トーガードと前記長尺部材との間に、さらに、かご側前垂れも収容できる広さに形成されており、
前記長尺部材は、エレベータ運行時も移動されることなく前記支持部材に対して固定されている、
請求項１または２のエレベータのピット出入り装置。
【発明の詳細な説明】
【技術分野】
【０００１】
本発明は、エレベータのピット出入り装置に関するものである。
【背景技術】
【０００２】
エレベータは、上下に延びる昇降路と、その中を昇降可能に設けられたかごとを備えている。通常、昇降路の底部には、緩衝器等の機器が配置されたピットが形成されている。エレベータのピットに設置された機器の保守点検は、作業者がピット内に入って行われる。よって、作業者がピット内に出入りすることをサポートするための装置として、従来からピット出入り装置が用意されている。
【０００３】
従来のピット出入り用装置の一例として、まず、特開２００６−２０６２７２号公報に開示された構成がある。この構成では、乗場下部に足場台を設置し、足場台やかご側の前垂れに、開口や切り欠きを設け、通常運行時に、足場台と前垂れとの干渉を回避するように工夫されている。
【０００４】
また、特開２００３−１９２２５３号公報には、折り畳み梯子をピットに保管しておき、ピット出入り時に乗場から引上げて梯子を組み立てる手法が開示されている。
【０００５】
しかしながら、特開２００６−２０６２７２号公報に開示の構成では、設置作業時間が不要というメリットはあるものの、足場や前垂れに通常運行時の干渉を避けるための加工が必要であり、また、部品点数が多く機器コストが高くなるという点で、更なる改善が望まれるところである。また、特開２００３−１９２２５３号公報に開示の手法では、梯子の組み立て作業が非常に煩雑であり、実用において利便性に欠ける問題があった。
【先行技術文献】
【特許文献】
【０００６】
【特許文献１】特開２００６−２０６２７２号公報
【特許文献２】特開２００３−１９２２５３号公報
【発明の概要】
【発明が解決しようとする課題】
【０００７】
本発明は、上記に鑑みてなされたものであり、多数の部品使用や構造の複雑化を強いられず、且つ、設置に多大な加工を強いられることなく、簡便にピット出入り可能状態を出現させることができるエレベータのピット出入り装置を提供することを目的とする。
【課題を解決するための手段】
【０００８】
上述した目的を達成するため、本発明のエレベータのピット出入り装置は、ピット底面から浮かされた状態で配置された足場手段を備え、前記足場手段は、支持部材と、左右に延びる長尺部材とを含み、前記支持部材は、昇降路の側壁を介してピット底面から浮かされた状態で固定されており、前記長尺部材は、踏み段を構成し、該長尺部材全体が昇降路の乗場側側壁から離隔した状態で、前記支持部材によって支持されており、前記長尺部材と前記乗場側側壁との間には、乗場トーガードが平面的にみて収容される逃げスペースが形成されている。
【発明の効果】
【０００９】
本発明のエレベータのピット出入り装置によれば、多数の部品使用や構造の複雑化を強いられず、且つ、設置に多大な加工を強いられることなく、簡便にピット出入り可能状態を出現させることができる。
【図面の簡単な説明】
【００１０】
【図１】本発明の実施の形態１に係るエレベータのピット出入り装置の構成を示す図ある。
【図２】実施の形態１に関する支持部材の構成を示す図である。
【図３】実施の形態１に関する長尺部材の構成を示す図である。
【図４】実施の形態１に関し、かごが下降した際、かご側前垂れが一対のブラケットの間に進入した状態を示す正面図である。
【図５】実施の形態２に関する、図１と同態様の図である。
【図６】本実施の形態３に係るエレベータのピット出入り装置の側面を示す。
【図７】図６のＶＩＩ線による断面を示す図である。
【図８】本実施の形態４に関する図７と同態様の図である。
【発明を実施するための形態】
【００１１】
以下、本発明に係るエレベータのピット出入り装置の実施の形態について添付図面に基づいて説明する。なお、図中、同一符号は同一又は対応部分を示すものとする。
【００１２】
実施の形態１．
図１は、本実施の形態に係るエレベータのピット出入り装置の構成を示し、図２及び図３はそれぞれ、本実施の形態に関する支持部材及び長尺部材の構成を示す図である。なお、図１〜図３はすべて、左半部に、該当構成の正面を示し、右半部に、該当構成の向かって右側の側面を示している。また、本実施の形態は、ピット深さは浅いが１段足場がある方が昇降路内の出入りをする作業者にとって適切な場面を例示している。
【００１３】
エレベータのピット出入り装置１は、ピット底面３から浮かされた状態で配置された足場手段を備えるものである。足場手段としては、支持部材５と、左右に延びる長尺部材７とが含まれる。支持部材５は、昇降路の側壁９を介してピット底面３から浮かされた状態で固定されている。長尺部材７は、作業者の荷重が作用する踏み段を構成するものであって、長尺部材全体が昇降路の乗場側側壁９ａから離隔した状態で、支持部材５によって支持されている。
【００１４】
長尺部材７と乗場側側壁９ａとの間には、逃げスペース１１が形成されている。逃げスペース１１には、乗場トーガード（乗場側前垂れ）１３が平面的にみて収容される。乗場トーガード１３は、乗場敷居１５からピット底面３に向けて垂下支持された板状部材であり、非常時または不具合時に、かご内の人員が昇降路内に誤って侵入するのを防止する。
【００１５】
支持部材５は、本実施の形態では、左右一対のブラケット１７，１９である。ブラケット１７，１９はそれぞれ、横断面Ｌ字状の板状部材であり、乗場側側壁９ａに沿って延びるベース壁部１７ａ，１９ａと、そこからほぼ垂直に立ち上がる突条壁部１７ｂ，１９ｂとを有している。ブラケット１７，１９はそれぞれ、ベース壁部１７ａ，１９ａにおいて乗場側側壁９ａにアンカーボルト等で固定されている。
【００１６】
また、ブラケット１７，１９は、乗場トーガード１３や後述する前垂れの干渉を避けるべく、正面からみて、乗場トーガード１３の左右それぞれ斜め下方に振り分けられるようにして配置されている。ブラケット１７，１９の配置高さは、作業者がピット底面３から長尺部材７、さらに長尺部材７から乗場２１まで問題なくアクセスできる蹴上寸法とする。
【００１７】
ブラケット１７，１９のそれぞれには、切り欠き部２３が形成されている。切り欠き部２３は、その上部に、出し入れ開口２３ａを有し、下部に、支持底部２３ｂを有する。切り欠き部２３は、長尺部材７の縦断面を上下にスライドさせた軌跡状をなしている。本実施の形態の支持底部２３ｂは、長尺部材７の後述の具体的に形態に応じて、側面視、半円形の輪郭をなしている。
【００１８】
本実施の形態の長尺部材７は、パイプである。より詳細には、長尺部材７は、パイプ本体部７ａと、左右一対の抜け止め部７ｂとを有している。パイプ本体部７ａは、中空の丸棒状の部材であり、左右一対のブラケット１７，１９の突条壁部１７ｂ，１９ｂの間隔よりも少なくとも長く左右に延びている。また、抜け止め部７ｂはそれぞれ、パイプ本体部７ａの対応する端部に設けられており、本実施の形態では円環状の部分である。抜け止め部７ｂの外径は、パイプ本体部７ａの外径よりも大きくなっている。
【００１９】
長尺部材７と切り欠き部２３とは、長尺部材７が、出し入れ開口２３ａを経て切り欠き部２３に挿入・取出され、且つ、切り欠き部２３内をスライド可能であり、支持底部２３ｂにおいて静止支持される関係を得られるように、構成されている。
【００２０】
また、長尺部材７が切り欠き部２３の支持底部２３ｂに支持されている状態では、左右それぞれの抜け止め部７ｂが、対応する突条壁部１７ｂ，１９ｂの外側に位置しており、長尺部材７が左右一方に過度に移動しそうなときに、左右他方の抜け止め部７ｂが対応する突条壁部１７ｂ，１９ｂと突き当たることで、長尺部材７のそれ以上の移動が規制され、長尺部材７が切り欠き部２３から抜け出てしまうことが防止されている。
【００２１】
エレベータのピット出入り装置１は、更に、紐状手段２５を備えている。紐状手段２５は、昇降路内に垂れ下げられている。具体的な一例として、紐状手段２５の上端は、乗場トーガード１３に接続されており、紐状手段２５の下端は、長尺部材７に接続されている。
【００２２】
紐状手段２５は、長尺部材７がピット底面３に寝かされている状態（図１中に点線で図示）と支持部材５によりピット底面３から浮かされて支持されている状態（図１中に実線で図示）という少なくとも二状態に関して、長尺部材７との接続が維持できるように形状変化可能となっている。よって、このような形状変化が可能であれば、紐状手段２５は、如何なるものであってもよい。つまり、紐状手段２５は、紐、線、綱、帯、チェーン、ワイヤ、コード、ロープ、ほぼフレキシブルに連接され合う複数の棒部材で構成された手段等、如何に称されているか又は構成説明されているかは問題ではなく、上記のような形状変化が可能なものを含んでいるものとする。なお、本実施の形態では、一例として、金属製チェーンを用いている。
【００２３】
次に、本実施の形態に係るエレベータのピット出入り装置１の作用について説明する。通常のエレベータ運行時には、長尺部材７は、ピット底面３に配置されている。作業者がエレベータのピット出入り装置１を使用して昇降路内に入る場合、まず、乗場２１上で紐状手段２５を手繰り寄せ、紐状手段２５介してピット底面３に配置してある長尺部材７を引き上げる。そして、作業者は、紐状手段２５を操り又は長尺部材７を直接持って、長尺部材７の一端を、対応する切り欠き部２３に挿入し、さらに、紐状手段２５で垂下支持しながら長尺部材７の他端も、もう一方の切り欠き部２３に挿入する。そして、長尺部材７の両端が対応する支持底部２３ｂ上に支持された状態であって、両端の抜け止め部７ｂが機能した状態に、長尺部材７をセットする。長尺部材７のセットが完了したならば、作業者は、長尺部材７を踏み段にして、ピット底面３へと降下する。
【００２４】
また、ピット底面３上の作業者が乗場２１に戻る場合は、上記と逆の動作となり、まず、作業者は、長尺部材７の両端が対応する支持底部２３ｂ上に支持された状態で、且つ、両端の抜け止め部７ｂが機能した状態に、長尺部材７をセットする。そして、作業者は、長尺部材７を踏み段にして、乗場２１へと登る。その後は、紐状手段２５を手繰り寄せて、紐状手段２５を操りながら長尺部材７の一端を切り欠き部２３から抜き、続いて、紐状手段２５を操り又は長尺部材７を直接持って、長尺部材７の他端も切り欠き部２３から抜き上げる。そして、紐状手段２５で垂下支持しながら長尺部材７をピット底面３に静かに置き、目的の作業を完了させる。また、その後のエレベータの通常の運行においては、かご２７が最下階の乗場まで下降した際、図４の正面図に示されるように、かご床２９から垂下されている乗客転落防止用のかご側前垂れ３１が一対のブラケット１７，１９の間に進入してくるものの、長尺部材７は一対のブラケット１７，１９の間にはなくピット底面３に置かれているので、かご側前垂れ３１と長尺部材７との干渉を回避すること可能となっている。なお、長尺部材７の外し忘れ防止のため、長尺部材７がブラケット１７，１９に取り付いている状態では、かご２７の昇降を制限するようなスイッチ等のセイフティ手段を別途、用意して実施することも可能である。
【００２５】
以上説明した本実施の形態１に係るエレベータのピット出入り装置によれば、ブラケット及び長尺部材という何れも安価且つシンプルな部品だけで、昇降路の側壁を利用してピット底面から浮かされた状態で踏み段部分である長尺部材を支持し、且つ、乗場トーガードを避けるように設けられた左右のブラケットにより、長尺部材が逃げスペースをもって乗場トーガードと干渉することなく配置されている。したがって、長尺部材を所望の高さに維持しておくためにピット底面に置かれる脚部が不要である。さらに、乗場トーガードとの干渉への対処として複雑な形状や加工が不要である。よって、多数の部品使用や構造の複雑化を強いられず、且つ、設置に多大な加工を強いられることなく、簡便にピット出入り可能状態を出現させることができる。特に、昇降路ピット深さが１．２ｍに満たない深さの場合などは、乗場直下に簡易的な１段の足場があれば安全に昇降路内に出入りすることが可能である。したがって、上記のような場合、折り畳み梯子の様に煩雑な組立作業が不要で、昇降路機器・かご機器との干渉を避けることができる安価な本実施の形態のピット出入り装置は、作業者への安全性はそのまま維持しつつ、著しく利便性を向上させることができ、大変有効なものとなっている。
【００２６】
また、長尺部材は、乗場トーガードを避けるように設けられた左右のブラケットにより、逃げスペースをもって配置されているので、乗場トーガードの存在があっても、長尺部材を乗場トーガードと干渉することなく着脱可能にすることができる。そして、長尺部材を着脱可能とすることで、長尺部材とかご側前垂れとの干渉も防止することができ、かご側前垂れとの干渉への対処としても複雑な形状や加工が不要である。さらに、このような利点を得るべく長尺部材を着脱させる場合、長尺部材には紐状手段が接続されているので、作業者は、乗場に居ながらにして、紐状手段を介して長尺部材の位置、動きや姿勢を制御することができる。さらに、そのような紐状手段は、その上端が乗場トーガードに接続されているので、作業者は、乗場から容易に紐状手段を手繰り寄せることができ、上記の紐状手段による制御への移行をより確実且つ簡単にしている。さらに、このように便利な紐状手段であるが、フレキシブルに形状変化し、使用されないときは乗場トーガードから垂れ下げられているので、エレベータの運行時に邪魔になることもない。さらに、長尺部材の着脱は、上下に延びる切り欠き部への挿入・抜き出しという昇降動作だけであるので、紐状手段による長尺部材の着脱作業の補助効果が着実に得られるようになっている。また、上述した利点は、紐状手段を含めても尚、依然として、何れも安価且つシンプルな部品だけで、得られている。
【００２７】
実施の形態２．
次に、図５を参照しながら、本発明の実施の形態２について説明する。図５は、実施の形態２に関する図１と同態様の図である。本実施の形態２は、踏み段が複数（具体例では２段）設けられた態様であり、以下に説明する部分を除いては、上記実施の形態１と同様であるものとする。エレベータのピット出入り装置２０１は、左右一対のブラケット２１７，２１９と、長尺部材７として２本のパイプ２０７とを含んでいる。ブラケット２１７，２１９のそれぞれには、パイプの本数と少なくとも同数、本例では２つの切り欠き部２３３ａ，２３３ｂが形成されている。切り欠き部２３３ａ，２３３ｂのそれぞれは、実施の形態１と同様な出し入れ開口２３ａ及び支持底部２３ｂを有しており、切り欠き部２３３ａ，２３３ｂそれぞれにパイプ２０７が支持される。
【００２８】
切り欠き部２３３ａ，２３３ｂは、各ブラケット２１７，２１９において乗場２１との遠近方向に間隔をあけて並んで配置されている。さらに、切り欠き部２３３ａ，２３３ｂにおいては、乗場２１に遠い位置にあるものほど支持底部２３ｂが低い位置にあり、したがって、乗場２１に遠い位置にある切り欠き部によって支持されたパイプ２０７ほど、低い位置に支持される。このようにして、ピット底面３と乗場２１との間に、２段の踏み段を備えた足場が出現されるようになっている。
【００２９】
本実施の形態２によっても、上記実施の形態１と同様、多数の部品使用や構造の複雑化を強いられず、且つ、設置に多大な加工を強いられることなく、簡便にピット出入り可能状態を出現させることができる利点がある。特に、本実施の形態２では、ピットが深く、足場が１段では作業者がピット出入りにてこずることが想定される場合に対し、足場を複数段設置することを可能としつつ、上記の利点を得ることができるものである。
【００３０】
実施の形態３．
次に、図６及び図７を参照しながら、本発明の実施の形態３について説明する。図６は、本実施の形態３に係るエレベータのピット出入り装置の側面を示す。図７は、図６のＶＩＩ線による断面を示す図である。本実施の形態３は、以下に説明する部分を除いては、上記実施の形態１と同様であるものとする。
【００３１】
本実施の形態３のピット出入り装置３０１においては、長尺部材７が左右一対のブラケット３１７，３１９で固定されている。より詳細には、ブラケット３１７，３１９のそれぞれには、ブラケットの縁に開口していない閉じた輪郭の貫通穴が形成されており、本実施の形態では、長尺部材７の外径より僅かに大きな輪郭の円形貫通穴が形成されている。長尺部材７は、左右各端部が、対応するブラケット３１７，３１９の貫通穴に挿通されて支持されている。なお、本実施の形態では、上記の紐状手段に相当するものは設けられていない。
【００３２】
また、長尺部材７と昇降路の側壁９との間には、逃げスペース３１１が形成されているが、この逃げスペース３１１は、乗場トーガード１３を収容できることに加えて、長尺部材７と乗場トーガード１３との間にかご側前垂れ３１をさらに収容できる広さに形成されている。よって、かご２７が最も下がってきた場合にでも、前垂れ３１は、門形に配置された長尺部材７及びブラケット３１７，３１９の内側に位置する逃げスペース３１１に挿入されるため、かご側前垂れ３１が長尺部材７と干渉することはない。
【００３３】
本実施の形態３によっても、上記実施の形態１と同様、多数の部品使用や構造の複雑化を強いられず、且つ、設置に多大な加工を強いられることなく、簡便にピット出入り可能状態を出現させることができる利点がある。さらに、本実施の形態３では、長尺部材を、移動させずに済み、常時、ブラケットに固定しておくことができるので、ピット出入り可能状態を出現させるための作業自体を不要とすることもできる。さらに、長尺部材を移動させる必要を考慮しないで済むので、長尺部材をより堅固に支持しておく態様を採用することができる。さらに、長尺部材を移動させずに済むので、上記実施の形態１の紐状手段のような要素を不要とすることができ、さらに、構造の簡素化や、部品点数の削減に伴う低コスト化を推し進めることも可能である。
【００３４】
実施の形態４．
次に、図８を参照しながら、本発明の実施の形態４について説明する。図８は、本実施の形態４に関する図７と同態様の図である。本実施の形態４は、以下に説明する部分を除いては、上記実施の形態３と同様であるものとする。
【００３５】
本実施の形態４は、長尺部材７の支持態様を、実施の形態３の両端支持態様から、片持ち態様に変更したものである。ピット出入り装置４０１においては、長尺部材７及びブラケット４１８がＬ字状に配置され、長尺部材７が単一のブラケット４１８によって、片持ち態様で固定されている。ブラケット４１８は、左右一対の突条壁部４１８ａ，４１８ｂを有している。突条壁部４１８ａ，４１８ｂのそれぞれには、ブラケットの縁に開口していない閉じた輪郭の貫通穴が形成されており、本実施の形態では、長尺部材７の外径より僅かに大きな輪郭の円形貫通穴が形成されている。長尺部材７は、突条壁部４１８ａ，４１８ｂの一対の貫通穴に挿通されて支持されている。なお、本実施の形態でも、上記の紐状手段に相当するものは設けられていない。
【００３６】
また、長尺部材７と昇降路の側壁９との間には、逃げスペース３１１が形成されているが、この逃げスペース３１１も、実施の形態３と同様の広さに形成されている。よって、かごが最も下がってきた場合にでも、前垂れ３１は、逃げスペース３１１に挿入されるため、かご側前垂れ３１が長尺部材７と干渉することはない。
【００３７】
本実施の形態４によっても、上記実施の形態１と同様、多数の部品使用や構造の複雑化を強いられず、且つ、設置に多大な加工を強いられることなく、簡便にピット出入り可能状態を出現させることができる利点がある。さらに、本実施の形態４でも、実施の形態３と同様、長尺部材を、常時、ブラケットに固定しておくことができ、長尺部材をより堅固に支持しておく態様を採用することができる。また、このように着脱を考慮しない貫通穴による長尺部材の支持態様によって、長尺部材を片持ち態様で支持することができ、ピット出入り装置をよりコンパクトにすることができる。さらに、長尺部材を移動させずに済むので、上記実施の形態１の紐状手段のような要素を不要とすることができ、構造の簡素化や、部品点数の削減に伴う低コスト化を推し進めることが可能である。
【００３８】
以上、好ましい実施の形態を参照して本発明の内容を具体的に説明したが、本発明の基本的技術思想及び教示に基づいて、当業者であれば、種々の改変態様を採り得ることは自明である。
【００３９】
例えば、実施の形態１及び２では、一本のパイプに対して一本の紐状手段を用意していたが、これに代えて、一本のパイプに対して二本の紐状手段を用意し、パイプの端部それぞれに、紐状手段の下端を接続するようにしてもよい。このような態様によれば、パイプの端部それぞれをダイレクトに操ることができ、長尺部材の着脱作業をより便利且つ確実に実施することができる。
【符号の説明】
【００４０】
１，２０１，３０１，４０１  エレベータのピット出入り装置、３  ピット底面、５  支持部材、７  長尺部材、９  側壁、１１，３１１  逃げスペース、１３  乗場トーガード、１７，１９，２１７，２１９，３１７，３１９，４１８  ブラケット、２１  乗場、２３  切り欠き部、２３ａ  出し入れ開口。
【図１】
0005570405.tif 000002
【図２】
0005570405.tif 000003
【図３】
0005570405.tif 000004
【図４】
0005570405.tif 000005
【図５】
0005570405.tif 000006
【図６】
0005570405.tif 000007
【図７】
0005570405.tif 000008
【図８】
0005570405.tif 000009